(57)【要約】【課題】  従来、高速鉄道車両が走行すると強大な騒音と横風圧が発生するため、沿線に防音壁を設置しているが、横風圧の繰り返し荷重を受けて劣化、損傷する。  このため、高速鉄道車両は利便性の反面、防音壁の点検、補修費や騒音と横風圧を減ずる先頭車両の研究、開発に多額の費用を要している。【解決手段】  先頭車の自動連結器カバーの下部まで、客車と同じ巾に形成し、該先端から後方に向け緩傾斜の昇り坂を形成し、該昇り坂の両側に向い風後送体か後送壁を立設し、向い風後送体は運転室上の屋根上まで延設するか後送壁後部の運転室上の屋根に整流器を立設して構成した。  これにより、先頭車が受けるすべての向い風を、後方に流すので、騒音と横風圧を防止することができる。  したがって、沿線住民に迷惑をかけないと共に防音壁は劣化、損傷せず、今まで必要とした、先頭車の騒音と横風圧の研究、開発費は不要となるので、該分を他の分野の研究に回すことができる。【選択図】図１
2018062330.tif 000002
【特許請求の範囲】
【請求項１】
先頭車と後尾車（反対方向に走行する時は先頭車になる）の自動連結器カバーの付け根部分の下部まで、客車と同じ巾に形成し、該先端から後方に向けて昇り坂を形成し、昇り坂の両側には、透明の強化ガラス入りの向い風後送体を立設し、また、自動連結器のカバーの後部に整流ドームを取り付け、該後部は昇り坂に接合した構造において、向い風後送体の上枠を運転室上の屋根より高い位置に向けて昇り傾斜状に形成し、該後部は後方に向け下り傾斜状に形成したことを特徴とする高速鉄道車両走行時の騒音と横風圧防止装置。
【請求項２】
昇り坂の両側に、後部が運転室と同じ高さで、前部が、自動連結器カバーより高めの、向い風後送壁を、前方に下り傾斜状に立設した構造において、運転室上の屋根両側に、屋根より高い整流器を立設し、該後部は後方に向け下り傾斜状に形成したことを特徴とする高速鉄道車両走行時の騒音と横風圧防止装置。
【発明の詳細な説明】
【技術分野】
【０００１】  本発明は、高速鉄道車両走行時の騒音と横風圧防止装置に関する。
【背景技術】
【０００２】  従来、高速鉄道車両が走行すると強大な騒音と横風圧が発生するため、沿線に、防音壁を設置しているが、走行する度に横風圧の繰り返し荷重を受けて劣化、損傷する。
このため、高速鉄道車両は利便性の反面、防音壁の点検、補修費や騒音と横風圧を減ずる先頭車両の研究、開発に多額の費用を要している。
【先行技術文献】
【特許文献】
【０００３】    １、特願２０１５−２３８９２８
２、〃  ２０１６−
３、〃  ２０１６−
４、意願２０１６−
【発明の概要】
【発明が解決しようとする課題】
【０００４】  本発明は、騒音と横風圧の発生を防止し、沿線の住民に迷惑をかけないようにすると共に防音壁の劣化、損傷を防止し、且、騒音と横風圧をなくすための先頭車の研究、開発費が不要になるようにしたものである。
【課題を解決するための手段】
【０００５】  実施例１の図１から図４は、特許文献２の関連発明に関する。
すなわち、特許文献２は、先頭車と後尾車（反対方向に走行する時は先頭車になる）の自動連結器カバーの付け根部分の下部まで、客車と同じ巾に形成し、該先端から後方に向けて昇り坂を形成し、昇り坂の両側には、透明の強化ガラス入りの向い風後送体を立設し、また、自動連結器カバーの後部には整流ドームを取り付け、該後部は昇り坂に接合した構造であるが、
本発明は、向い風後送体の上枠を運転室上の屋根より高い位置に向けて昇り傾斜状に形成し、該後部は後方に向け下り傾斜状に形成して屋根上に取り付けたものである。【０００６】  実施例２の図５から図７は、特許文献３の関連発明に関する。
すなわち、特許文献３は、昇り坂の両側に、後部が運転室と同じ高さで、前部が、自動連結器カバーより高めの、向い風後送壁を前方に下り傾斜状に立設した構造であるが、
本発明は、運転室上の屋根両側に、屋根より高い整流器を立設し、該後部は後方に向け、下り傾斜状に形成したものである。
【発明の効果】
【０００７】  実施例１の図１から図４は、上述のように構成したので、先頭車が受けるすべての向い風は、昇り坂と向い風後送体に囲い込まれて後方に流れ、更に、向い風後送体は、運転室上の屋上まで延長して立設したので、向い風は拡散せず、すべての向い風を確実に後方に流すことができる。【０００８】  実施例２の図５から図７は、運転室の屋上両側に整流器を立設したので、昇り坂と向い風後送壁に囲い込まれて、後方に流れる向い風は、整流器効果により、向い風は拡散せず、向い風を確実に後方に流すことができる。【０００９】  以上の効果から、すべてのホームを高速で通過でき、列車がすれ違う時、互いの風圧を受けないので横揺れせず、両列車共速度を落とさず高速で走行することができる。【００１０】  また、沿線住民に迷惑をかけないと共に防音壁は劣化、損傷しないので、従来、必要とした、先頭車の騒音と横風圧対策の研究、開発費を他の分野の研究、開発に回すことができる。【００１１】  更に、実施例１（図１から図４）の向い風後送体は透明の強化ガラスを取り付け、実施例２（図５から図７）は向い風後送壁を運転席の下方まで取り付けたので、運転士は前方から左右まで、１８０度の広角度の視界が得られ、何ら問題なく、従来通り安全運転することができる。
また、走行時、向い風が後方に流れる時、昇り坂を上から押し付けるので、車輪とレールの粘着性能が高まる。
したがって、駆動性能とブレーキ性能が高まると共に電力消費量を軽減することができる。【００１２】  なお、本発明は、運行中の車両に実施可能であり、リニア超高速鉄道車両に実施すれば、更に、有効に作用する等の諸効果を発揮するものである。
【図面の簡単な説明】
【００１３】実施例１
【図１】  実施例１の正面図
【図２】  図１の平面図
【図３】  図１の左側面図
【図４】  図１の応用実施例を示す正面図実施例２【図５】  実施例２の正面図
【図６】  図４の平面図
【図７】  図５の左側面図
【発明を実施するための形態】
【００１４】  実施例１の図１から図４の１は先頭車で、自動連結器カバー２の付け根部分の下部まで客車３と同じ巾に形成し、該先端から後方に向け緩傾斜の昇り坂４を形成している。
５は昇り坂４の上部に設けた運転室、６は昇り坂４の両側に立設した向い風後送体で、該向い風後送体６には透明の強化ガラス７を取り付けている。８は整流ドームで該後部は昇り坂４に接合している。
而して、本発明は、向い風後送体６の上枠を運転室５の屋根９より高い位置に向けて昇り傾斜状に形成している。また、該後部は後方に向け下り傾斜状に形成して屋根９に取り付けている。
【００１５】  実施例２の図５から図７の１０は昇り坂４の両側に立設した向い風後送壁で、後部が運転室５と同じ高さで、前部は自動連結器カバー２より高めにして、前方に向け、下り傾斜状に取り付けている。
而して、本発明の１１は運転室５上の屋根９両側に立設した屋根９より高い整流器で、該後部は後方に向け下り傾斜状に形成している。
【符号の説明】
【００１６】１    先頭車
２    自動連結器カバー
３    客車
４    昇り坂
５    運転室
６    向い風後送体
７    透明の強化ガラス
８    整流ドーム
９    屋根
１０  向い風後送壁
１１  整流器
【図１】
2018062330.tif 000003
【図２】
2018062330.tif 000004
【図３】
2018062330.tif 000005
【図４】
2018062330.tif 000006
【図５】
2018062330.tif 000007
【図６】
2018062330.tif 000008
【図７】
2018062330.tif 000009
【手続補正書】
【提出日】平成29年3月5日(2017.3.5)
【手続補正１】
【補正対象書類名】明細書
【補正対象項目名】０００３
【補正方法】変更
【補正の内容】
【０００３】１、特許第６０３０７４２
２、  〃  ２０１６−１９９５３２
３、  〃  ２０１６−２０７３４８
４、意願２０１６−２２０９２
５、  〃  ２０１６−２３９７３
【手続補正２】
【補正対象書類名】特許請求の範囲
【補正対象項目名】全文
【補正方法】変更
【補正の内容】
【特許請求の範囲】
【請求項１】
先頭車と後尾車（反対方向に走行する時は先頭車になる）の自動連結器カバーの付け根部分の下部まで、客車と同じ巾に形成し、該下部から後方に向けて昇り坂を形成し、昇り坂の両側には、透明の強化ガラス入りの向い風後送体を立設し、また、自動連結器のカバーの後部に整流ドームを取り付け、該後部は昇り坂に接合した構造において、向い風後送体の上枠を運転室上の屋根より高い位置に向けて昇り傾斜状に形成し、該後部は後方に向け下り傾斜状に形成したことを特徴とする高速鉄道車両走行時の騒音と横風圧防止装置。
【請求項２】
昇り坂の両側に、後部が運転室と同じ高さで、前部が、自動連結器カバーより高めの、向い風後送壁を、前方に下り傾斜状に立設した構造において、運転室上の屋根両側に、屋根より高い整流器を立設し、該後部は後方に向け下り傾斜状に形成したことを特徴とする高速鉄道車両走行時の騒音と横風圧防止装置。